【手続補正書】
【提出日】平成24年11月9日(2012.11.9)
【手続補正１】
【補正対象書類名】明細書
【補正対象項目名】００１０
【補正方法】変更
【補正の内容】
【００１０】
本発明は、上記目的を達成するために提案されたものであり、ノズルに連通する圧力室の容積を変動させる圧力発生手段を駆動することで前記ノズルから液体を噴射可能な液体噴射ヘッドと、前記圧力発生手段を駆動する駆動パルスを含む駆動信号を発生し、当該駆動信号を前記圧力発生手段に印加して液体の噴射を制御する制御手段と、を備えた液体噴射装置であって、
前記制御手段は、第１のメンテナンスパルスと第２のメンテナンスパルスを発生可能に構成され、
前記制御手段は、前記第１のメンテナンスパルスを用いて第１のメンテナンス処理を実行した後に、前記第２のメンテナンスパルスを用いて第２のメンテナンス処理を実行することを特徴とする。
【手続補正２】
【補正対象書類名】明細書
【補正対象項目名】００１１
【補正方法】変更
【補正の内容】
【００１１】
また、本発明は、ノズルに連通する圧力室の容積を変動させる圧力発生手段を駆動することで前記ノズルから液体を噴射可能な液体噴射ヘッドと、前記圧力発生手段を駆動する駆動パルスを含む駆動信号を発生し、当該駆動信号を前記圧力発生手段に印加して液体の噴射を制御する制御手段と、を備えた液体噴射装置であって、
前記制御手段は、第１のメンテナンスパルスと第２のメンテナンスパルスを発生可能に構成され、
前記第１のメンテナンスパルスは、前記第２のメンテナンスパルスと比較して前記圧力発生手段を駆動することにより前記圧力室内の液体に生じる圧力変化が大きくなるように設定され、
前記制御手段は、前記第１のメンテナンスパルスを用いて第１のメンテナンス処理を実行した後に、前記第２のメンテナンスパルスを用いて第２のメンテナンス処理を実行することを特徴とする。
【手続補正３】
【補正対象書類名】明細書
【補正対象項目名】００１２
【補正方法】変更
【補正の内容】
【００１２】
さらに、本発明は、ノズルに連通する圧力室の容積を変動させる圧力発生手段を駆動することで前記ノズルから液体を噴射可能な液体噴射ヘッドと、前記圧力発生手段を駆動する駆動パルスを含む駆動信号を発生し、当該駆動信号を前記圧力発生手段に印加して液体の噴射を制御する制御手段と、を備えた液体噴射装置であって、
前記制御手段は、第１のメンテナンスパルスと第２のメンテナンスパルスを発生可能に構成され、
前記第１のメンテナンスパルスは、圧力室内に圧力変化を生じさせるための一連の波形要素からなり、
前記第２のメンテナンスパルスは、ノズルから液体を噴射させるための波形要素からなる噴射部と、当該噴射部によって液体が噴射された後のメニスカスの残留振動を抑制するための波形要素からなる制振部と、を有し、
前記制御手段は、前記第１のメンテナンスパルスを用いて第１のメンテナンス処理を実行した後に、前記第２のメンテナンスパルスを用いて第２のメンテナンス処理を実行することを特徴とする。
【手続補正４】
【補正対象書類名】明細書
【補正対象項目名】００１３
【補正方法】変更
【補正の内容】
【００１３】
本発明によれば、メンテナンス処理において第１のメンテナンス処理を実行した後に、第２のメンテナンス処理を組み合わせて行うことにより、各メンテナンス処理をそれぞれ単体で行う場合と比較して液体流路中の増粘液体や気泡をより効率的に除去することができる。これにより、ＭＰＢＦを向上させることができ、尚かつ、メンテナンス処理に要する時間を短縮することが可能となる。加えて、メンテナンス処理が終了した時点でメニスカスの残留振動が安定化されるので、残留振動を収束させるための待機時間を短縮することができ、これにより、メンテナンス処理に要する時間をより短縮することができる。
【手続補正５】
【補正対象書類名】明細書
【補正対象項目名】００１４
【補正方法】変更
【補正の内容】
【００１４】
また、上記実施形態において、前記制御手段は、液体噴射動作を行う対象である着弾対象としての記録媒体に対して液体噴射動作を所定単位行う毎に前記第１のメンテナンスパルスおよび前記第２のメンテナンスパルスを用いてメンテナンス処理を実行し、
前記メンテナンス処理における前記第２のメンテナンスパルスは、増粘した液体をノズルから排出するための増粘液体排出用パルスである構成を採用することができる。
【手続補正６】
【補正対象書類名】明細書
【補正対象項目名】００１５
【補正方法】変更
【補正の内容】
【００１５】
さらに、上記実施形態において、  前記制御手段は、液体噴射動作を行う対象である着弾対象としての記録媒体を前記液体噴射ヘッドのノズル面に対向するステージ上に供給する毎、及び、記録媒体を前記ステージから排出する毎に前記第１のメンテナンスパルスおよび前記第２のメンテナンスパルスを用いてメンテナンス処理を実行し、
前記メンテナンス処理における前記第２のメンテナンスパルスは、増粘により膜状に変化したメニスカスを破断するための膜破断用パルスである構成を採用することもできる。
【手続補正７】
【補正対象書類名】明細書
【補正対象項目名】００１６
【補正方法】変更
【補正の内容】
【００１６】
また、本発明は、ノズルに連通する圧力室の容積を変動させる圧力発生手段を駆動することで前記ノズルから液体を噴射可能な液体噴射ヘッドと、前記圧力発生手段を駆動する駆動パルスを含む駆動信号を発生し、当該駆動信号を前記圧力発生手段に印加して液体の噴射を制御する制御手段と、を備えた液体噴射装置の制御方法であって、
前記制御手段は、第１のメンテナンスパルスと第２のメンテナンスパルスを発生可能に構成され、
前記第１のメンテナンスパルスおよび前記第２のメンテナンスパルスを用いたメンテナンス処理において、前記第１のメンテナンスパルスを用いた第１のメンテナンス処理を実行した後に、前記第２のメンテナンスパルスを用いた第２のメンテナンス処理を実行することを特徴とする。
【手続補正８】
【補正対象書類名】明細書
【補正対象項目名】００１７
【補正方法】変更
【補正の内容】
【００１７】
さらに、本発明は、ノズルに連通する圧力室の容積を変動させる圧力発生手段を駆動することで前記ノズルから液体を噴射可能な液体噴射ヘッドと、前記圧力発生手段を駆動する駆動パルスを含む駆動信号を発生し、当該駆動信号を前記圧力発生手段に印加して液体の噴射を制御する制御手段と、を備えた液体噴射装置の制御方法であって、
前記制御手段は、第１のメンテナンスパルスと第２のメンテナンスパルスを発生可能に構成され、
前記第１のメンテナンスパルスは、前記第２のメンテナンスパルスと比較して前記圧力発生手段を駆動することにより前記圧力室内の液体に生じる圧力変化が大きくなるように設定され、
前記第１のメンテナンスパルスおよび前記第２のメンテナンスパルスを用いてメンテナンス処理を実行する場合、前記第１のメンテナンスパルスを用いて第１のメンテナンス処理を実行した後、前記第２のメンテナンスパルスを用いて第２のメンテナンス処理を実行することを特徴とする。
【手続補正９】
【補正対象書類名】明細書
【補正対象項目名】００１８
【補正方法】変更
【補正の内容】
【００１８】
そして、本発明は、ノズルに連通する圧力室の容積を変動させる圧力発生手段を駆動することで前記ノズルから液体を噴射可能な液体噴射ヘッドと、前記圧力発生手段を駆動する駆動パルスを含む駆動信号を発生し、当該駆動信号を前記圧力発生手段に印加して液体の噴射を制御する制御手段と、を備えた液体噴射装置であって、
前記制御手段は、第１のメンテナンスパルスと第２のメンテナンスパルスを発生可能に構成され、
前記第１のメンテナンスパルスは、圧力室内に圧力変化を生じさせるための一連の波形要素からなり、
前記第２のメンテナンスパルスは、ノズルから液体を噴射させるための波形要素からなる噴射部と、当該噴射部によって液体が噴射された後のメニスカスの残留振動を抑制するための波形要素からなる制振部と、を有し、
前記第１のメンテナンスパルスおよび前記第２のメンテナンスパルスを用いてメンテナンス処理を実行する場合、前記第１のメンテナンスパルスを用いて第１のメンテナンス処理を実行した後、前記第２のメンテナンスパルスを用いて第２のメンテナンス処理を実行することを特徴とする。
【手続補正１０】
【補正対象書類名】特許請求の範囲
【補正対象項目名】全文
【補正方法】変更
【補正の内容】
【特許請求の範囲】
【請求項１】
ノズルに連通する圧力室の容積を変動させる圧力発生手段を駆動することで前記ノズルから液体を噴射可能な液体噴射ヘッドと、前記圧力発生手段を駆動する駆動パルスを含む駆動信号を発生し、当該駆動信号を前記圧力発生手段に印加して液体の噴射を制御する制御手段と、を備えた液体噴射装置であって、
前記制御手段は、第１のメンテナンスパルスと第２のメンテナンスパルスを発生可能に構成され、
前記制御手段は、前記第１のメンテナンスパルスを用いて第１のメンテナンス処理を実行した後に、前記第２のメンテナンスパルスを用いて第２のメンテナンス処理を実行することを特徴とする液体噴射装置。
【請求項２】
ノズルに連通する圧力室の容積を変動させる圧力発生手段を駆動することで前記ノズルから液体を噴射可能な液体噴射ヘッドと、前記圧力発生手段を駆動する駆動パルスを含む駆動信号を発生し、当該駆動信号を前記圧力発生手段に印加して液体の噴射を制御する制御手段と、を備えた液体噴射装置であって、
前記制御手段は、第１のメンテナンスパルスと第２のメンテナンスパルスを発生可能に構成され、
前記第１のメンテナンスパルスは、前記第２のメンテナンスパルスと比較して前記圧力発生手段を駆動することにより前記圧力室内の液体に生じる圧力変化が大きくなるように設定され、
前記制御手段は、前記第１のメンテナンスパルスを用いて第１のメンテナンス処理を実行した後に、前記第２のメンテナンスパルスを用いて第２のメンテナンス処理を実行することを特徴とする液体噴射装置。
【請求項３】
ノズルに連通する圧力室の容積を変動させる圧力発生手段を駆動することで前記ノズルから液体を噴射可能な液体噴射ヘッドと、前記圧力発生手段を駆動する駆動パルスを含む駆動信号を発生し、当該駆動信号を前記圧力発生手段に印加して液体の噴射を制御する制御手段と、を備えた液体噴射装置であって、
前記制御手段は、第１のメンテナンスパルスと第２のメンテナンスパルスを発生可能に構成され、
前記第１のメンテナンスパルスは、圧力室内に圧力変化を生じさせるための一連の波形要素からなり、
前記第２のメンテナンスパルスは、ノズルから液体を噴射させるための波形要素からなる噴射部と、当該噴射部によって液体が噴射された後のメニスカスの残留振動を抑制するための波形要素からなる制振部と、を有し、
前記制御手段は、前記第１のメンテナンスパルスを用いて第１のメンテナンス処理を実行した後に、前記第２のメンテナンスパルスを用いて第２のメンテナンス処理を実行することを特徴とする液体噴射装置。
【請求項４】
前記制御手段は、液体噴射動作を行う対象である着弾対象としての記録媒体に対して液体噴射動作を所定単位行う毎に前記第１のメンテナンスパルスおよび前記第２のメンテナンスパルスを用いてメンテナンス処理を実行し、
前記メンテナンス処理における前記第２のメンテナンスパルスは、増粘した液体をノズルから排出するための増粘液体排出用パルスであることを特徴とする請求項１から請求項３の何れか一項に記載の液体噴射装置。
【請求項５】
前記制御手段は、液体噴射動作を行う対象である着弾対象としての記録媒体を前記液体噴射ヘッドのノズル面に対向するステージ上に供給する毎、及び、記録媒体を前記ステージから排出する毎に前記第１のメンテナンスパルスおよび前記第２のメンテナンスパルスを用いてメンテナンス処理を実行し、
前記メンテナンス処理における前記第２のメンテナンスパルスは、増粘により膜状に変化したメニスカスを破断するための膜破断用パルスであることを特徴とする請求項１から請求項３の何れか一項に記載の液体噴射装置。
【請求項６】
ノズルに連通する圧力室の容積を変動させる圧力発生手段を駆動することで前記ノズルから液体を噴射可能な液体噴射ヘッドと、前記圧力発生手段を駆動する駆動パルスを含む駆動信号を発生し、当該駆動信号を前記圧力発生手段に印加して液体の噴射を制御する制御手段と、を備えた液体噴射装置の制御方法であって、
前記制御手段は、第１のメンテナンスパルスと第２のメンテナンスパルスを発生可能に構成され、
前記第１のメンテナンスパルスおよび前記第２のメンテナンスパルスを用いたメンテナンス処理において、前記第１のメンテナンスパルスを用いた第１のメンテナンス処理を実行した後に、前記第２のメンテナンスパルスを用いた第２のメンテナンス処理を実行することを特徴とする液体噴射装置の制御方法。
【請求項７】
ノズルに連通する圧力室の容積を変動させる圧力発生手段を駆動することで前記ノズルから液体を噴射可能な液体噴射ヘッドと、前記圧力発生手段を駆動する駆動パルスを含む駆動信号を発生し、当該駆動信号を前記圧力発生手段に印加して液体の噴射を制御する制御手段と、を備えた液体噴射装置の制御方法であって、
前記制御手段は、第１のメンテナンスパルスと第２のメンテナンスパルスを発生可能に構成され、
前記第１のメンテナンスパルスは、前記第２のメンテナンスパルスと比較して前記圧力発生手段を駆動することにより前記圧力室内の液体に生じる圧力変化が大きくなるように設定され、
前記第１のメンテナンスパルスおよび前記第２のメンテナンスパルスを用いてメンテナンス処理を実行する場合、前記第１のメンテナンスパルスを用いて第１のメンテナンス処理を実行した後、前記第２のメンテナンスパルスを用いて第２のメンテナンス処理を実行することを特徴とする液体噴射装置の制御方法。
【請求項８】
ノズルに連通する圧力室の容積を変動させる圧力発生手段を駆動することで前記ノズルから液体を噴射可能な液体噴射ヘッドと、前記圧力発生手段を駆動する駆動パルスを含む駆動信号を発生し、当該駆動信号を前記圧力発生手段に印加して液体の噴射を制御する制御手段と、を備えた液体噴射装置であって、
前記制御手段は、第１のメンテナンスパルスと第２のメンテナンスパルスを発生可能に構成され、
前記第１のメンテナンスパルスは、圧力室内に圧力変化を生じさせるための一連の波形要素からなり、
前記第２のメンテナンスパルスは、ノズルから液体を噴射させるための波形要素からなる噴射部と、当該噴射部によって液体が噴射された後のメニスカスの残留振動を抑制するための波形要素からなる制振部と、を有し、
前記第１のメンテナンスパルスおよび前記第２のメンテナンスパルスを用いてメンテナンス処理を実行する場合、前記第１のメンテナンスパルスを用いて第１のメンテナンス処理を実行した後、前記第２のメンテナンスパルスを用いて第２のメンテナンス処理を実行することを特徴とする液体噴射装置の制御方法。